(57)【要約】      （修正有）【課題】携帯電話機が用いる８００ＭＨｚ帯の周波数の電磁波を通過許容し、非接触ＩＣ媒体が用いる１３．５６ＭＨｚ帯の周波数の電磁波を遮断する一部電磁波遮断シートを低コストで提供する。【解決手段】電磁波を遮断するアルミ５によりシート状の全電磁波遮断シート２０を形成し、全ての電磁波を遮断する全電磁波遮断型の全電磁波遮断シート２０を製造する場合は、前記全電磁波遮断シート２０をそのまま完成品の全電磁波遮断シート２０とし、８００ＭＨｚ帯の周波数の電磁波を通過許容して１３．５６ＭＨｚ帯の周波数の電磁波を遮断する遮断電磁波選択型の一部電磁波遮断シート３０を製造する場合は、前記全電磁波遮断シート２０に複数の孔３１を形成して完成品の一部電磁波遮断シート３０とする。【選択図】図１
2007287752.tif 000002
【特許請求の範囲】
【請求項１】
電磁波を遮断する電磁波遮断シートを製造する電磁波遮断シート製造方法であって、
電磁波を遮断する電磁波遮断部材によりシート状の基材シートを形成し、
全ての電磁波を遮断する全電磁波遮断型の電磁波遮断シートを製造する場合は、前記基材シートをそのまま完成品の電磁波遮断シートとし、
一部の周波数の電磁波を遮断して他の周波数の電磁波を通過許容する遮断電磁波選択型の電磁波遮断シートを製造する場合は、前記基材シートに所定の孔群を形成して完成品の電磁波遮断シートとする
電磁波遮断シート製造方法。
【請求項２】
前記所定の孔群として、同一形状で同一サイズの複数の孔を互いに一定間隔離間させて規則正しく配置する
請求項１記載の電磁波遮断シート製造方法。
【請求項３】
前記孔の最大径を２ｍｍ〜９ｍｍの範囲とする
請求項２記載の電磁波遮断シート製造方法。
【請求項４】
電磁波を遮断する電磁波遮断シートを製造する電磁波遮断シート製造装置であって、
電磁波を遮断する電磁波遮断部材によりシート状の基材シートを形成する基材シート形成手段と、
該基材シートに所定の孔群を穿孔する穿孔手段と、
前記穿孔手段による穿孔を実行するか否か選択許容する選択入力手段とを備えた
電磁波遮蔽シート製造装置。
【請求項５】
前記穿孔手段を、ローラ周面に同一形状で同一サイズの複数の穿孔突起を互いに一定間隔離間させて規則正しく備えた穿孔ローラで構成した
請求項４記載の電磁波遮断シート製造装置。
【請求項６】
前記穿孔突起を、最大径が２ｍｍ〜９ｍｍの範囲となる大きさに構成した
請求項５記載の電磁波遮断シート製造装置。
【請求項７】
電磁波を遮断する電磁波遮断シートであって、
一部の周波数の電磁波を遮断して他の周波数の電磁波を通過許容する所定の孔群を備えた
電磁波遮断シート。
【請求項８】
前記所定の孔群を、同一形状で同一サイズの複数の孔を互いに一定間隔離間させて規則正しく配置した
請求項７記載の電磁波遮断シート。
【請求項９】
前記孔の最大径を２ｍｍ〜９ｍｍの範囲で形成した
請求項８記載の電磁波遮断シート。
【請求項１０】
前記孔の最大径を０．１ｍｍ〜１ｍｍの範囲で形成した
請求項８記載の電磁波遮断シート。
【請求項１１】
物品を収納する収納部全体を請求項７、８または９記載の電磁波遮断シートで囲繞した
電磁波遮断カバン。
【請求項１２】
請求項７、８または１０記載の電磁波遮断シートを重合した生地を用いた
電磁波遮断衣料。
【発明の詳細な説明】
【技術分野】
【０００１】
この発明は、例えば周波数によって通過の可否を切り替えるような電磁波遮断シートとその製造方法とその装置、電磁波遮断カバン、および電磁波遮断衣料に関する。
【背景技術】
【０００２】
従来、アルミ箔などを用いて電磁波を遮蔽する電磁波遮蔽シートが提案されている。この電磁波遮断シートとして、例えばガラスクロスの表裏両面にアルミ箔を接着した電磁波遮断用シートが提案されている（特許文献１参照）。この電磁波遮蔽用シートにより、電磁波を遮断できるとされている。
【０００３】
一方、本件特許出願の発明者は、携帯電話機の無線通信などに用いられる８００ＭＨｚなどの高周波の電磁波を通過許容し、非接触ＩＣ媒体に用いられる１３．５６ＭＨｚなどの低周波の電磁波を遮断する電磁波遮断シートの開発に取り組み、アルミや銀、銅などの電磁波遮断物質の肉厚を薄くすると、一部の電磁波が通過することに気づいた。また、電磁波遮断物質は、遮断する周波数についての特性を有しており、一部の電磁波については遮断し、他の周波数の電磁波については通過することがあることに気づいた。
【０００４】
しかし、このように電磁波遮断物質の肉厚や材質で通過許容する周波数と遮断する周波数を切り分けようとすると、目的とする機能によって肉厚や材質の異なる複数種類の電磁波遮断シートを製造しなければならず、コストがかさむという問題点が残った。
【０００５】
一方、電導性に優れた材料により幾何学的繰り返しパターンを形成することで、各種の周波数を遮断する周波数選択性電磁波遮断フィルムが提案されている（特許文献２参照）。  
しかし、この周波数選択性電磁波遮断フィルムも、目的とする機能によって、例えば幾何学的繰り返しパターンが十字形であれは交点の位置を変更するなど、個別の対応が必要でコストがかさむという問題点があった。
【０００６】
【特許文献１】特開２００２−１３４９８９号公報
【特許文献２】特開２００３−１６８８８８号公報
【発明の開示】
【発明が解決しようとする課題】
【０００７】
この発明は、上述の問題に鑑み、一部の周波数の電磁波を遮断して他の周波数の電磁波を通過許容する電磁波遮断シートを低コストで提供し、またこの電磁波遮断シートを低コストで製造できる電磁波遮断シート製造方法とその装置、および電磁波遮断シートを用いた電磁波遮断カバンや電磁波防止衣料を提供することを目的とする。
【課題を解決するための手段】
【０００８】
この発明は、電磁波を遮断する電磁波遮断部材によりシート状の基材シートを形成し、全ての電磁波を遮断する全電磁波遮断型の電磁波遮断シートを製造する場合は、前記基材シートをそのまま完成品の電磁波遮断シートとし、一部の周波数の電磁波を遮断して他の周波数の電磁波を通過許容する遮断電磁波選択型の電磁波遮断シートを製造する場合は、前記基材シートに所定の孔群を形成して完成品の電磁波遮断シートとすることを特徴とする。
【０００９】
また、所定の孔群は、同一形状で同一サイズの複数の孔を互いに一定間隔離間させて規則正しく配置したことを特徴とする。
【発明の効果】
【００１０】
この発明により、一部の周波数の電磁波を遮断して他の周波数の電磁波を通過許容する電磁波遮断シートを低コストで提供でき、またこの電磁波遮断シートを低コストで製造できる電磁波遮断シート製造方法とその装置を提供でき、また前記電磁波遮断シートを用いた電磁波遮断カバンや電磁波遮断衣料を提供できる。
【発明を実施するための最良の形態】
【００１１】
この発明の一実施形態を以下図面と共に説明する。  
図１は、電磁波遮断シート製造装置１の概略構成を示す斜視図である。図２は、電磁波遮断シート製造装置１の構成を示すブロック図である。図３（Ａ）は一部電磁波遮断シート３０の平面図である。図３（Ｂ）は一部電磁波遮断シート３０のＡ−Ａ矢視断面図である。
【００１２】
電磁波遮断シート製造装置１は、フィルム３をロール状に巻いたフィルムロール２がセットされ、このフィルムロール２からフィルム３を繰り出して搬送路上を搬送する。
【００１３】
この搬送路には、スパッタリング部１５と穿孔ローラ１８とが搬送方向へこの順に配設されている。  
スパッタリング部１５は、スパッタリングによりアルミ５を０．３ｍｍの肉厚となるようフィルム３に蒸着し、全電磁波遮断シート２０を形成する。なお、この実施例では電磁波遮断部材としてアルミを使用するが、これにかぎらず銀、銅、鉛、真鍮、ステンレス、鉄、炭素、あるいはこれらの混合物など、電磁波を遮断できる適宜の部材を使用できる。また、肉厚は０．３ｍｍに限らず、例えば０．５ｍｍ程度にするなど、適宜の肉厚に形成できる。
【００１４】
穿孔ローラ１８は、複数の穿孔突起１９が円周面に千鳥格子状に規則正しく整列配置されている。この穿孔突起１９は、直径が３ｍｍの円形のカッターであり、全電磁波遮断シート２０に直径３ｍｍの孔３１（図３参照）を千鳥格子状に複数穿孔して一部電磁波遮断シート３０を形成する。
【００１５】
なお、穿孔突起１９および孔３１は、円形に限らず六角形や八角形などの多角形に形成する、あるいは３ｍｍに限らず最大径が２ｍｍ〜９ｍｍ、好ましくは３ｍｍ〜６ｍｍの大きさとなるように形成するなど、適宜の形状および大きさに形成できる。また、穿孔突起１９および孔３１の配置は、千鳥格子状に限らず、格子状にするなど、適宜の配置に構成することができる。
【００１６】
この穿孔突起１９および孔３１の最大径の下限は、通過許容したい周波数（この実施例では８００ＭＨｚ）の波長（約３７４．７４１ｍｍ）および該波長の１／４波長の長さ（約９３．６８５ｍｍ）より充分に短い長さである。つまり、２ｍｍという長さは、通過許容したい周波数の波長の約０．００５３倍であり、通過許容したい周波数の１／４波長の長さの約０．０２１倍である。また、３ｍｍという長さは、通過許容したい周波数の波長の約０．００８倍であり、通過許容したい周波数の１／４波長の長さの約０．０３２倍である。従って、穿孔突起１９および孔３１の最大径は、通過許容したい周波数の１／４波長の長さの約０．０２倍以上、好ましくは約０．０３倍以上の長さとしている。
【００１７】
また、穿孔突起１９および孔３１の最大径の上限は、遮断したい周波数（この実施例では１３．５６ＭＨｚ）の波長（約２２，２０６．８４９ｍｍ）および該波長の１／４波長の長さ（約５，５５１．７１２ｍｍ）より充分に短い長さである。つまり、９ｍｍという長さは、遮断したい周波数の波長の約０．０００４１倍であり、遮断したい周波数の１／４波長の長さの約０．００１６倍である。また、６ｍｍという長さは、遮断したい周波数の波長の約０．０００２７倍であり、遮断したい周波数の１／４波長の長さの約０．００１１倍である。従って、穿孔突起１９および孔３１の最大径の上限は、遮断したい周波数の１／４波長の長さの約０．００１６倍以下、好ましくは約０．００１１倍以下の長さとしている。
【００１８】
穿孔ローラ１８の下方位置には、フィルム３を挟んで対向する対向ローラ７が設けられている。この対向ローラ７に穿孔ローラ１８の穿孔突起１９を押圧することで、全電磁波遮断シート２０に確実に孔３１を穿孔できる。
【００１９】
図２に示すように、電磁波遮断シート製造装置１には、制御部１１、入力部１２、表示部１３、搬送部１４、スパッタリング部１５、穿孔ローラ昇降部１６、および穿孔ローラ回転部１７が設けられている。
【００２０】
制御部１１は、ＣＰＵなどで構成され、装置全体を制御する。  
入力部１２は、テンキーあるいはタッチパネルなどで構成され、入力された入力信号を制御部１１に送信する。この入力部１２で入力許容する入力信号には、全電磁波を遮断する全電磁波遮断シート２０を製造するか一部の電磁波を遮断する一部電磁波遮断シート３０を製造するかの選択入力信号も含まれる。
【００２１】
表示部１３は、液晶ディスプレイあるいはデジタル表示板などで構成され、制御部１１の出力信号（ＲＧＢ信号など）に従って情報を表示する。この表示する情報には、入力部１２で入力された内容の確認情報も含まれる。
【００２２】
搬送部１４は、適宜のモータやベルトなどで構成され、制御部１１の制御に従ってフィルムロール２から繰り出したフィルム３を搬送する。  
スパッタリング部１５は、制御部１１の制御に従って、フィルム３の表面にスパッタリングによってアルミ５を蒸着する。
【００２３】
穿孔ローラ昇降部１６は、モータなどの適宜の駆動手段で構成されており、制御部１１の制御に従って穿孔ローラ１８の上昇と下降を実行する。  
なお、穿孔ローラ１８を上昇するのは、全電磁波遮断シート２０に穿孔しない全電磁波遮断型の全電磁波遮断シート２０を製造する場合である。  
また、穿孔ローラ１８を下降するのは、全電磁波遮断シート２０に穿孔して、非接触ＩＣ媒体の通信に用いられる１３．５６ＭＨｚの電磁波を遮断し、携帯電話機の通信に用いられる８００ＭＨｚの電磁波を通過許容する遮断電磁波選択型の一部電磁波遮断シート３０を製造する場合である。  
従って、穿孔ローラ昇降部１６は、入力部１２での選択入力に従って全電磁波遮断シート２０と一部電磁波遮断シート３０のいずれか一方を完成品とする選択実行手段として機能する。
【００２４】
穿孔ローラ回転部１７は、モータ等の適宜の駆動手段で構成され、制御部１１の制御に従って、搬送部１４によるフィルム３の搬送速度と同速度で穿孔ローラ１８を回転させる。
【００２５】
以上の構成により、電磁波遮断シート製造装置１は、スパッタリングを行う電磁波遮断膜形成工程を実行し、フィルム３にアルミ５を蒸着させて全電磁波を遮断する全電磁波遮断シート２０を製造できる。さらに、電磁波遮断シート製造装置１は、穿孔工程を実行し、穿孔突起１９で全電磁波遮断シート２０に図３に示すように孔３１を穿孔して、一定周波数（例えば１３．５６ＭＨｚと８００ＭＨｚの中間の一周波数）より低周波の電磁波（例えば１３．５６ＭＨｚの電磁波など）を遮断し、前記一定周波数より高周波の電磁波（例えば８００ＭＨｚの電磁波など）を通過許容できる一部電磁波遮断シート３０を製造することができる。
【００２６】
全電磁波を遮断する全電磁波遮断シート２０と、電磁波の周波数によって通過許容と通過遮断を切り分ける一部電磁波遮断シート３０を、安価に製造することができる。すなわち、いずれもフィルム３とアルミ５で構成する全電磁波遮断シート２０を用いるため、アルミ５の肉厚や素材が異なる複数種類の全電磁波遮断シート２０を製造する必要がなく、コストダウンを図ることができる。
【００２７】
一部電磁波遮断シート３０は、直径３ｍｍの円形の孔３１が上下左右に規則正しく千鳥格子状に配置され、孔３１同士の間隔Ｌ（図３（Ａ）参照）が等間隔となるため、場所によってばらつくことなく電磁波の通過可否を制御できる。
【００２８】
また、アルミ５で構成される電磁波遮断部材は肉厚一定であるため、低周波（この実施例では１３．５６ＭＨｚ以下）の電磁波を通過許容と、高周波（この実施例では８００ＭＨｚ以上）の電磁波の遮断を、一部電磁波遮断シート３０上の場所によるばらつきなく安定して実行できる。
【００２９】
また、孔３１の直径Ｄより孔３１と孔３１の間隔Ｌを大きくとっているため、孔３１以外の部分に設けられているアルミ５による電磁波遮断機能を効果的に発揮させることができる。
【００３０】
また、電磁波遮断シート製造装置１は、フィルム３にアルミ５等の電磁波遮断部材を蒸着して構成しているため、湾曲などの変形を柔軟に行うことができる。
【００３１】
このように製造した一部電磁波遮断シート３０を用いて、電磁波遮断機能を有する適宜の物品を製造することができる。  
図４は、電磁波遮断カバン４０の斜視図を示し、図５は、電磁波遮断カバン４０の縦断側面図を示す。
【００３２】
電磁波遮断カバン４０は、表裏両面に設けられた表面革４２、上面に設けられた上面革４３、底面に設けられた底面革４４、両側面に設けられた側面革４５、および持ち手４６によって構成されており、上面革４３にはファスナ４１が設けられている。
【００３３】
表面革４２、上面革４３、底面革４４、側面革４５、および持ち手４６は、図５に示すように、いずれも内面側の全面に一部電磁波遮断シート３０が貼り付けられている。
【００３４】
上面に設けられたファスナ４１は開閉自在であり、このファスナ４１を開状態にして収納空間Ｅに非接触ＩＣ媒体５１や携帯電話機５３等の物品を収納することができる。  
非接触ＩＣ媒体５１は、ＩＣチップとアンテナとが設けられて１３．５６ＭＨｚの周波数帯で非接触通信を行うものであり、ＲＦ−ＩＤタグあるいはＲＦ−ＩＤカードと呼ばれるものである。  
携帯電話機５３は、ＣＰＵ、入力キー、液晶モニタ、通信ユニット、および通話ユニットが設けられ、８００ＭＨｚの周波数帯で非接触通信を行うものである。
【００３５】
以上の構成の電磁波遮断カバン４０により、収納空間Ｅに収納した物品のうち、低周波の１３．５６ＭＨｚの電磁波Ｇ１を用いて通信する非接触ＩＣ媒体５１については、電磁波Ｇ１を遮断し、電磁波遮断カバン４０の外部とさせないようにできる。従って、非接触ＩＣ媒体５１に記憶されている情報を不正に読み取られること（いわゆるスキミング）を防止できる。
【００３６】
また、高周波の８００ＭＨｚの電磁波Ｇ２は通過許容するため、収納空間Ｅに収納した物品のうち携帯電話機５３については、通信を許容できる。従って、携帯電話機５３は着信することができ、一部電磁波遮断シート３０が設けられていない通常のカバンと変わりなく携帯電話機５３を利用することができる。
【００３７】
このようにして、通過許容したい電磁波Ｇ１を通過許容し、かつ遮断したい電磁波Ｇ２を遮断できる電磁波遮断カバン４０を提供することができる。従って、非接触ＩＣ媒体５１の不正読み取りを防止するために通信を遮断する機能と、携帯電話機５３が着信できるように通信を許容する機能という相反する機能を両立させることができ、利用者の満足度を向上させることができる。
【００３８】
図６は、電磁波遮断エプロン６０の正面図を示す。  
この電磁波遮断エプロン６０は、前述した一部電磁波遮断シート３０の孔３１の直径Ｄを０．１ｍｍ〜１．０ｍｍの範囲内の大きさとした一部電磁波遮断シート３０ａを、木綿やデニム生地などの適宜の生地６１の裏面側に重合配置して構成されている。
【００３９】
この電磁波遮断エプロン６０により、８００ＭＨｚ程度までの電磁波を遮断することができる。従って、この電磁波遮断エプロン６０を着用した利用者の人体を、非接触ＩＣ媒体の通信に用いられる１３．５６ＭＨｚの電磁波、および携帯電話機の通信に用いられる８００ＭＨｚの電磁波から守ることができる。
【００４０】
そして、一部電磁波遮断シート３０ａには直径Ｄが０．１ｍｍ〜１．０ｍｍの範囲内の孔３１が複数設けられているため、通気性を良くすることができる。従って、利用者は電磁波遮断エプロン６０を快適に利用することができる。
【００４１】
電磁波遮断エプロン６０は、８００ＭＨｚよりも高周波の電磁波については通過許容する可能性があるが、このような高周波の電磁波の照射が想定されない場所では該高周波を遮断する必要がなく、その分通気性を確保して快適に利用することができる。
【００４２】
なお、この実施形態では、一部電磁波遮断シート３０ａを用いた電磁波遮断エプロン６０について説明したが、エプロンに限らず、ジャケットやコート、ジャンパー、Ｔシャツ、ズボン、スカート、タオルなど、様々な衣料に一部電磁波遮断シート３０ａを用いることができる。これにより、利用者は電磁波を遮断したい場面に応じて一部電磁波遮断機能があり通気性の良い電磁波遮断衣料を使用することができる。
【００４３】
なお、以上の実施形態の電磁波遮断シート製造装置１は、穿孔するか否かを選択する構成としたが、穿孔突起１９の大きさや形状、配置間隔の異なる複数種類の穿孔ローラ１８を備え、各穿孔ローラ１８を穿孔ローラ昇降部１６に個別に昇降可能に構成し、穿孔する孔３１の大きさや形状、配置間隔を利用者が選択指示して多種類の一部電磁波遮断シート３０を製造できる構成にしてもよい。  
この場合、用途に応じて通過可否の切り分け周波数が異なる複数種類の一部電磁波遮断シート３０を低コストで容易に製造できる。
【００４４】
この発明の構成と、上述の実施形態との対応において、
この発明の基材シートは、実施形態のフィルム３に対応し、
以下同様に、
電磁波遮断部材は、アルミ５に対応し、
選択入力手段は、入力部１２に対応し、
基材シート形成手段は、スパッタリング部１５に対応し、
穿孔手段は、穿孔ローラ１８に対応し、
全電磁波遮断型の電磁波遮断シートは、全電磁波遮断シート２０に対応し、
遮断電磁波選択型の電磁波遮断シートは、一部電磁波遮断シート３０，３０ａに対応し、
所定の孔群は、複数の孔３１に対応し、
物品は、非接触ＩＣ媒体５１および携帯電話機５３に対応し、
電磁波遮断衣料は、電磁波遮断エプロン６０に対応し、
最大径は、直径Ｄに対応し、
収納部は、収納空間Ｅに対応し、
一定間隔は、間隔Ｌに対応し、
一部の周波数は、１３．５６ＭＨｚと８００ＭＨｚの中間より低周波の周波数に対応し、
他の周波数は、１３．５６ＭＨｚと８００ＭＨｚの中間より高周波の周波数に対応するも、
この発明は、上述の実施形態の構成のみに限定されるものではなく、多くの実施の形態を得ることができる。
【図面の簡単な説明】
【００４５】
【図１】電磁波遮断シート製造装置の概略構成を示す斜視図。
【図２】電磁波遮断シート製造装置の構成を示すブロック図。
【図３】一部電磁波遮断シートの説明図。
【図４】電磁波遮断カバンの斜視図。
【図５】電磁波遮断カバンの縦断側面図。
【図６】電磁波遮断エプロンの正面図。
【符号の説明】
【００４６】
１…電磁波遮断シート製造装置
３…フィルム
５…アルミ
１２…入力部
１５…スパッタリング部
１８…穿孔ローラ
１９…穿孔突起
２０…全電磁波遮断シート
３０，３０ａ…一部電磁波遮断シート
３１…複数の孔
４０…電磁波遮断カバン
５１…非接触ＩＣ媒体
５３…携帯電話機
６０…電磁波遮断エプロン
６１…生地
Ｄ…直径
Ｅ…収納空間
Ｇ１，Ｇ２…電磁波
Ｌ…間隔
【図１】
2007287752.tif 000003
【図２】
2007287752.tif 000004
【図３】
2007287752.tif 000005
【図４】
2007287752.tif 000006
【図５】
2007287752.tif 000007
【図６】
2007287752.tif 000008